(57)【特許請求の範囲】
【請求項１】
少なくとも一部分が暗い又は不透明なカバーを用意する工程と、
前記カバーの前記暗い又は不透明な部分に第１の開口部を形成する工程と、
前記カバーの前記暗い又は不透明な部分の第１の開口部内に透明なカメラ用ウィンドウを配設する工程と、
その後に、前記カバーを前記電子製品の筐体に取り付ける工程と、
を含む、電子製品の組立方法。
【請求項２】
前記カバーはカバーガラスである、請求項１に記載の方法。
【請求項３】
前記カバーはセラミックカバーである、請求項１に記載の方法。
【請求項４】
前記カバーガラスを通した前記透明なカメラ用ウィンドウへのベーリンググレアの伝達を実質的に減衰させるように、前記カバーガラスの前記部分が十分に暗い又は不透明である、請求項２に記載の方法。
【請求項５】
前記透明なカメラ用ウィンドウの周辺部を前記カバーガラスの前記暗い又は不透明な部分に固定する工程を更に含む、請求項２又は４に記載の方法。
【請求項６】
前記透明なカメラ用ウィンドウの前記周辺部を前記カバーガラスの前記暗い又は不透明な部分に固定する前記工程は、前記透明なカメラ用ウィンドウを加熱する工程を含む、請求項５に記載の方法。
【請求項７】
前記透明なカメラ用ウィンドウの前記周辺部を前記カバーガラスの前記暗い又は不透明な部分に固定する前記工程は、前記透明なカメラ用ウィンドウを圧入する工程を含む、請求項５に記載の方法。
【請求項８】
前記透明なカメラ用ウィンドウの周辺部を前記カバーガラスの前記暗い又は不透明な部分に溶融接合する工程を更に含む、請求項２又は４に記載の方法。
【請求項９】
前記透明なカメラ用ウィンドウの周辺部のガラスを前記カバーガラスの前記暗い又は不透明な部分のガラスに融合させる工程を更に含む、請求項２又は４に記載の方法。
【請求項１０】
前記透明なカメラ用ウィンドウ及びこれに隣接した、前記カバーガラスの前記暗い又は不透明な部分のガラス領域をラッピング加工して前記カバーガラスの平坦な外表面に仕上げる工程を更に含む、請求項２又は４に記載の方法。
【請求項１１】
前記カバーガラスの前記暗い又は不透明な部分に第２の開口部を形成する工程と、
前記カバーガラスの前記暗い又は不透明な部分の前記第２の開口部内に透明な照明器用ウィンドウを配設する工程と、
前記透明な照明器用ウィンドウの周辺部のガラスを前記カバーガラスの前記暗い又は不透明な部分のガラスに融合させる工程と、
を更に含む、請求項２又は４に記載の方法。
【請求項１２】
前記カバーガラスの前記暗い又は不透明な部分に別の開口部を形成する工程と、
前記カバーガラスの前記暗い又は不透明な部分の前記別の開口部内に透明なディスプレイ用ウィンドウを配設する工程と、
前記透明なディスプレイ用ウィンドウの周辺部のガラスを前記カバーガラスの前記暗い又は不透明な部分のガラスに融合させる工程と、
を更に含む、請求項２又は４に記載の方法。
【請求項１３】
前記透明なカメラ用ウィンドウ及び前記カバーガラスの暗い又は不透明な部分を強化する工程を更に含む、請求項２に記載の方法。
【請求項１４】
透明なウィンドウと、
ガラス又はセラミックで形成されたカバーであって、前記透明なウィンドウは前記カバーの暗い又は不透明な部分のなかの開口部に直接統合された別個の部品である、カバーと、
前記ガラス又はセラミックのカバーと結合された筐体と、
少なくとも感知デバイスを含み少なくとも一部が前記筐体の内部に配設された電気部品と、
を備える消費者向け電子製品。
【請求項１５】
前記カバーは、前記透明なウィンドウへの前記カバーを通したベーリンググレアの伝達を実質的に減衰させるように十分に暗い又は不透明である、請求項１４に記載の消費者向け電子製品。
【請求項１６】
前記透明なウィンドウの周辺部を前記カバーに固定する接合インターフェースを更に備える、請求項１４に記載の消費者向け電子製品。
【請求項１７】
前記接合インターフェースは、前記透明なウィンドウの周辺部のガラスを前記カバーのガラスに融合させる接合を含む、請求項１６に記載の消費者向け電子製品。
【請求項１８】
前記ガラス又はセラミックのカバーは、前記透明なウィンドウを越えてもなお実質的に滑らかな外表面を有し、及び、
前記透明なウィンドウを含む前記カバーの実質的に滑らかな外表面の少なくとも一部分は化学的に強化された表面である、請求項１４に記載の消費者向け電子製品。
【請求項１９】
前記カバーと統合された透明な照明器用ウィンドウを更に備える、請求項１４に記載の消費者向け電子製品。
【請求項２０】
前記カバーの一部としての透明なディスプレイ用ウィンドウを更に備える、請求項１４に記載の消費者向け電子製品。
【発明の詳細な説明】
【背景技術】
【０００１】
本発明は、全体としてガラスの加工に関する。より具体的には、本発明は、ポータブル電子デバイスにおいて使用されるカバーガラスの加工に関する。
【０００２】
ガラス表面は、ハンドヘルド電子デバイスなどの消費者向け電子製品に使用され、ますます普及しつつある。そのような装置は、ディスプレイを含む場合が多いので、ガラス表面は、ディスプレイを保護する外表面として使用することができる。ガラスの代わりにプラスチックを使用してもよいが、ガラスの強度と耐傷性を考えると、ガラスの方がよりよい保護バリアを提供するのに役立ちうる。
【０００３】
更に、デジタルカメラ技術のサイズ及びコスト面での急速な進歩により、１つ以上のデジタルカメラが各種のポータブル電子デバイスに統合されるようになった。そのような統合によって、カメラ機能を利用できる利便性が備わるようになったが、その反面、この種の統合型カメラで画像又は映像をキャプチャした場合に、その画像又は映像品質が損なわれることがしばしばある。また、フラッシュ又はその他の照明は、暗い場面で画像又は映像に恩恵をもたらしうるが、統合が困難であるなどの諸々の理由により、フラッシュ又は他の照明がポータブル電子デバイスから省略されることが多い。
【０００４】
それ故、電子デバイスにおいて、カメラをガラス製カバー機構と統合する手法を改良することに対する継続的なニーズが存在している。
【発明の概要】
【０００５】
ウィンドウ（ｗｉｎｄｏｗ）をカバーガラスに統合するため及び電子デバイスのウィンドウを提供するカバーガラスを加工するための装置、システム及び方法が開示される。透明なカメラ用ウィンドウ、透明な照明器用ウィンドウ及び／又が透明なディスプレイ用ウィンドウ、のような透明なウィンドウはカバーガラスに統合することができる。本装置、システム及び方法は、ハンドヘルド電子デバイスなどの小型フォームファクタの電子デバイス（例えば、モバイル電話、メディアプレーヤ、携帯用情報端末、リモコンなど）に組み込まれるカバーガラス、又はディスプレイ（例えば、ＬＣＤディスプレイ）に特に好適である。本装置、システム、及び方法はまた、比較的大型のフォームファクタの他の電子デバイス（例えば、ポータブルコンピュータ、タブレットコンピュータ、ディスプレイ、モニタ、テレビなど）に対応したカバーガラス又はディスプレイにも使用できる。
【０００６】
本発明は、方法、システム、デバイス、又は装置を含め、数多くの方法で実施することができる。本発明のいくつかの実施形態を以下に説明する。
【０００７】
電子製品の組立方法として、本発明の一実施形態は、少なくとも一部分が暗い又は不透明なカバーガラスを用意することと、カバーガラスの暗い又は不透明な部分に第１の開口部を形成することと、カバーガラスの暗い又は不透明な部分の第１の開口部内に透明なカメラ用ウィンドウを配設することと、を少なくとも含む。また、必要であれば、この方法は、更にその後にカバーガラスを電子製品の筐体に取り付けることを含んでもよい。
【０００８】
電子製品の別の組立方法として、本発明の一実施形態は、少なくとも一部分が暗い又は不透明なセラミックカバーを用意することと、セラミックカバーの暗い又は不透明な部分に第１の開口部を形成することと、セラミックカバーの暗い又は不透明な部分の第１の開口部内に透明なカメラ用ウィンドウを配設することと、を少なくとも含む。また、必要であれば、この方法は、更にその後にカバーガラスを電子製品の筐体に取り付けることを含んでもよい。
【０００９】
消費者向け電子製品として、本発明の一実施形態は、少なくとも、透明なカメラ用ウィンドウと、その透明なカメラ用ウィンドウと統合されたガラス又はセラミックで形成されたカバーであって、透明なカメラ用ウィンドウを越えてもなお実質的に滑らかな外表面を有するガラス又はセラミックのカバーと、そのガラス又はセラミックのカバーと結合された筐体と、少なくともカメラを含み少なくとも一部が筐体の内部に配設された電気部品と、を含みうる。
【００１０】
本発明の他の態様及び利点は、例として本発明の原理を説明する添付図と共に考慮される、下記の「発明を実施するための形態」から明らかとなるであろう。
【図面の簡単な説明】
【００１１】
添付の図面と共に以下の「発明を実施するための形態」により本発明は容易に理解されるであろう。図中、同一符号は同一の構造要素を示す。
【００１２】
【図１Ａ】消費者向け電子製品の一実施形態の図である。
【図１Ｂ】消費者向け電子製品の一実施形態の図である。
【図１Ｃ】消費者向け電子製品の一実施形態の図である。
【図１Ｄ】消費者向け電子製品の一実施形態の図である。
【００１３】
【図２Ａ】カバーガラスのガラス材料又はセラミックカバーのセラミック材料を加工するための実施形態の図である。
【図２Ｂ】カバーガラスのガラス材料又はセラミックカバーのセラミック材料を加工するための実施形態の図である。
【図３Ａ】カバーガラスのガラス材料又はセラミックカバーのセラミック材料を加工するための実施形態の図である。
【図３Ｂ】カバーガラスのガラス材料又はセラミックカバーのセラミック材料を加工するための実施形態の図である。
【図４Ａ】カバーガラスのガラス材料又はセラミックカバーのセラミック材料を加工するための実施形態の図である。
【図４Ｂ】カバーガラスのガラス材料又はセラミックカバーのセラミック材料を加工するための実施形態の図である。
【００１４】
【図５Ａ】カバーガラスのガラス材料又はセラミックカバーのセラミック材料を加工するための実施形態を説明する簡略化された断面図である。
【図５Ｂ】カバーガラスのガラス材料又はセラミックカバーのセラミック材料を加工するための実施形態を説明する簡略化された断面図である。
【図５Ｃ】カバーガラスのガラス材料又はセラミックカバーのセラミック材料を加工するための実施形態を説明する簡略化された断面図である。
【００１５】
【図５Ｄ】消費者向け電子製品の簡略化した断面図である。
【００１６】
【図６】カバーの暴露面部分の化学強化の詳細な部分断面図を示す図である。
【００１７】
【図７Ａ】カバーガラス又はセラミックカバーの化学強化の実施形態を説明する簡略化された断面図である。
【図７Ｂ】カバーガラス又はセラミックカバーの化学強化の実施形態を説明する簡略化された断面図である。
【００１８】
【図７Ｃ】消費者向け電子製品の別の実施形態の簡略化された断面図である。
【００１９】
【図８】一実施形態に係る組立工程を説明するフローチャートである。
【００２０】
【図９】別の実施形態に係る組立工程を説明するフローチャートである。
【００２１】
図１〜図９は、必ずしも縮尺どおりに作図されていないことに注意すべきである。その代わりに、これらの図は、その特徴部が見え易いように拡大されている。
【発明を実施するための形態】
【００２２】
ウィンドウをカバーガラスに統合するため及び電子デバイスのウィンドウを提供するカバーガラスを加工するための装置、システム及び方法が開示される。透明なカメラ用ウィンドウ、透明な照明器用ウィンドウ及び／又は透明なディスプレイ用ウィンドウ、のような透明なウィンドウはカバーガラスに統合することができる。本装置、システム及び方法は、ハンドヘルド電子デバイスなどの小型フォームファクタの電子デバイス（例えば、モバイル電話、メディアプレーヤ、携帯情報端末、リモコンなど）に組み込まれるカバーガラス、又はディスプレイ（例えば、ＬＣＤディスプレイ）に特に好適である。本装置、システム、及び方法はまた、比較的大型のフォームファクタの他の電子デバイス（例えば、ポータブルコンピュータ、タブレットコンピュータ、ディスプレイ、モニタ、テレビなど）に対応したカバーガラス又はディスプレイにも使用できる。
【００２３】
ハンドヘルド電子デバイス及びポータブル電子デバイスは持ち運びできるため、固定式機器が受けることのない様々な異なる衝撃の事象及び応力を受ける可能性がある。それ故、本発明は、薄型に設計されるハンドヘルド電子デバイス又はポータブル電子デバイス用のディスプレイの実装に非常に適している。
【００２４】
本発明の実施形態について、後ほど図１Ａ〜図９を参照しながら説明する。ただし、当業者には、これらの図に関して本明細書で与えられる「発明を実施するための形態」が、説明目的のものであり、本発明がこれらの限られた実施形態を超えて拡張されることが、容易に理解されよう。
【００２５】
図１Ａ〜図１Ｄは、消費者向け電子製品の１つ以上の実施形態の図を示す。電子デバイス１００は、例えば、薄型フォームファクタ（即ち、薄型形状）を有するポータブル又はハンドヘルド電子デバイスとして具現されうる。電子デバイス１００は、例えば、メディアプレーヤ、メディアストレージデバイス、携帯用情報端末（ＰＤＡ）、タブレットＰＣ、コンピュータ、セルラー電話、スマートフォン、ＧＰＳユニット、リモコン、及びこれらに類するものに対応しうる。
【００２６】
図１Ａは、一実施形態に係る電子デバイス１００の斜視図を示す。図１Ｂは、電子デバイス１００の角の部分の詳細な斜視図を示す。電子デバイス１００は、電子デバイス１００の外表面の一部として機能する筐体１０２を含みうる。電気部品（図１Ａ及び図１Ｂに示されていない）は、筐体１０２の内部に配設されうる。電気部品としては、コントローラ（又はプロセッサ）、メモリ、バッテリ、ディスプレイ、カメラ、及びフラッシュなどの照明器が挙げられるが、これらに限定されるものではない。
【００２７】
更に、電子デバイス１００の前面及び／又は背面を覆うのに、ガラス又はセラミックを使用してもよい。例えば、電子デバイス１００は、少なくとも一つのカバーガラス１０４又は少なくとも一つのセラミックカバー１０４を有してもよい。したがって、実施形態によっては、カバーガラス１０４はガラス材料を含んでもよいし、別の実施形態では、セラミックカバー１０４はセラミック材料を含み、カバーガラス１０４の代わりに用いてもよい。
【００２８】
カバーガラス１０４（又はセラミックカバー１０４）は、電子デバイス１００の外表面（即ち、前面又は背面）として機能しうる。カバーガラス１０４（又はセラミックカバー１０４）は、引掻きにも耐えうるため、電子デバイス１００用の筐体１０２の前面又は背面に対し、実質的に耐引掻性の表面を提供することができる。カバーガラス１０４（又はセラミックカバー１０４）は、例えば、接着剤及び／又は機械的手段を用いて、筐体１０２に結合されてもよい。
【００２９】
カバーガラス１０４（又はセラミックカバー１０４）はカメラ部位（ａｒｅａ）の上に取り付けられてもよい。カバーガラス１０４（又はセラミックカバー１０４）は、カメラ部位に又はそれに隣接して、透明なカメラ用ウィンドウ１０６を含んでもよい。一実施例において、カメラ部位は、少なくとも、画像又は映像をキャプチャするデジタルカメラのようなカメラを含みうる。カメラ部位に又はそれに隣接して、カバーガラス１０４（又はセラミックカバー１０４）の透明なカメラ用ウィンドウ１０６は、カバーガラス１０４（又はセラミックカバー１０４）を通して画像又は映像をキャプチャするために、カメラに対して実質的に透明であってもよい。
【００３０】
カメラ部位は、電子デバイス１００の筐体１０２の内部に延在しうる。カメラに隣接したカバーガラス１０４（又はセラミックカバー１０４）の第１の小部分領域は、カメラ部位の上に延在しうる。カメラに隣接したカバーガラス１０４（又はセラミックカバー１０４）の第１の小部分領域は、透明なカメラ用ウィンドウ１０６を含みうる。カバーガラス１０４（又はセラミックカバー１０４）、より具体的には、透明なカメラ用ウィンドウ１０６はカメラに実質的に重なりうる。一実施例において、カバーガラス１０４又はセラミックカバー１０４（より具体的には透明なカメラ用ウィンドウ１０６）の周辺領域は、カメラに隣接し、カメラ部位の上に延在してもよい。
【００３１】
同様に、カバーガラス１０４（又はセラミックカバー１０４）は、照明器領域の上に取り付けてもよい。カバーガラス１０４（又はセラミックカバー１０４）は、照明器部位に又はそれに隣接して、透明な照明器用ウィンドウ１０８を含んでもよい。一実施例において、照明器部位は、少なくとも、暗い場面を照らす発光ダイオード（ＬＥＤ）又はストロボのような照明器を含みうる。照明器部位に又はそれに隣接して、カバーガラス１０４（又はセラミックカバー１０４）の透明な照明器用ウィンドウ１０８は、照明器に対して実質的に透明でありうる。透明な照明器用ウィンドウ１０８は、照明器からの照明が透明な照明器用ウィンドウを通って、カバーガラス１０４（又はセラミックカバー１０４）から外へ放射されるように配置してもよい。
【００３２】
照明器部位は、電子デバイス１００の筐体１０２の内部に延在しうる。照明器に隣接したカバーガラス１０４（又はセラミックカバー１０４）の第２の小部分領域は、照明器部位の上に延在しうる。照明器に隣接したカバーガラス１０４（又はセラミックカバー１０４）の第２の小部分領域は、透明な照明器用ウィンドウ１０８を含みうる。カバーガラス１０４（又はセラミックカバー１０４）、より具体的には、透明な照明器用ウィンドウ１０８は照明器に実質的に重なりうる。一実施例において、カバーガラス１０４又はセラミックカバー１０４（より具体的には透明な照明器用ウィンドウ１０８）の別の周辺領域は、照明器に隣接し、照明器部位の上に延在してもよい。
【００３３】
更に、幾つかの実施形態においては、カバーガラス１０４（又はセラミックカバー１０４）はディスプレイ部位の上に取り付けられてもよい。カバーガラス１０４（又はセラミックカバー１０４）の透明なディスプレイ用ウィンドウ１１４は、ディスプレイ部位に隣接し、ディスプレイ部位のディスプレイがカバーガラス１０４（又はセラミックカバー１０４）の透明なディスプレイ用ウィンドウ１１４を通して見えるように配置されてもよい。幾つかの実施形態において、ディスプレイ部位は、電子デバイス１００の筐体１０２の内部に配設されてもよい。幾つかの実施形態においては、電子デバイス１００は、電子デバイス１００の前面の大部分を占める、全画面表示又は実施区的に全画面表示のディスプレイ部位を含みうる。ディスプレイ部位は、様々な様式で具現されうる。一実施例において、ディスプレイ部位は、少なくともフラットパネルディスプレイ、より具体的にはＬＣＤディスプレイのようなディスプレイをカバーしうる。
【００３４】
ディスプレイ部位は、代替的に又は付加的に、ディスプレイ画面上に配置されたタッチ感知デバイスを含みうる。例えば、ディスプレイ部位は、１つ以上のガラス層であって、その上に容量性感知点（ｃａｐａｃｉｔｉｖｅ ｓｅｎｓｉｎｇ ｐｏｉｎｔｓ）が分散されているようなガラス層を含んでいてもよい。これらのコンポーネントのそれぞれは、別々の層であってもよく、又は１つ以上のスタックに統合されてもよい。一実施例において、カバーガラス１０４（又はセラミックカバー１０４）の透明なディスプレイ用ウィンドウ１１４は、ディスプレイ部位の最外面として機能してもよい。
【００３５】
幾つかの実施形態においては、電子デバイス１００は、様々な層を含むディスプレイ領域（例えば、ディスプレイ部位）を含みうる。様々な層は少なくともディスプレイを含んでいてもよく、更にディスプレイ上に配設された感知機構を含みうる。幾つかの事例においては、層を相互に隣接して積み上げてもよく、更に積層させてもよく、これにより単一ユニットが形成されうる。他の事例においては、少なくとも幾つかの層を直接隣接しないように空間的に離隔させている。
【００３６】
例えば、ディスプレイ上に感知機構を配設し、両者の間に間隙が生ずるようにしてもよい。例として、ディスプレイは、液晶モジュール（ＬＣＭ）を含む液晶ディスプレイ（ＬＣＤ）を含みうる。ＬＣＭは通常、少なくとも上側ガラスシートと下側ガラスシートとを含み、これらのシートの間に液晶層が少なくとも部分的に挟持されている。感知機構は、タッチスクリーンを作り出すために使用されるものなどのように、タッチ感知構成としてもよい。
【００３７】
例えば、容量性の感知タッチスクリーンは、カバーガラス１０４（又はセラミックカバー１０４）の透明なディスプレイ用ウィンドウ１１４の近くに散在する実質的に透明な感知ポイント又はノードを含みうる。カバーガラス１０４（又はセラミックカバー１０４）の透明なディスプレイ用ウィンドウ１１４は、ディスプレイ領域の外側の保護バリアとして機能しうる。通常、カバーガラス１０４（又はセラミックカバー１０４）の透明なディスプレイ用ウィンドウ１１４は、ディスプレイ領域に隣接してもよい。しかし、カバーガラス１０４（又はセラミックカバー１０４）の透明なディスプレイ用ウィンドウ１１４は、ディスプレイ領域の別の層（外部保護層）として、ディスプレイ領域と統合されていてもよい。
【００３８】
カバーガラス１０４（又はセラミックカバー１０４）は、筐体１０２の最上面の全面にわたって延在してもよい。そのような場合、カバーガラス１０４（又はセラミックカバー１０４）の縁を、筐体１０２の側面に、位置合わせ又は実質的に位置合わせしてもよい。
【００３９】
カバーガラス１０４（又はセラミックカバー１０４）の厚さはかなり薄い（即ち、通常は数ミリメートル未満）場合があるので、カバーガラス１０４（又はセラミックカバー１０４）を慎重に配置しないと、電子デバイス１００をうっかり落とす落下事象のように、相当大きな力がかかる場合、亀裂又は破壊を受け易くなる可能性がある。
【００４０】
カバーガラス１０４を使用する実施形態において、カバーガラス１０４用のガラス材料は、入手可能な強度の大きなガラスから選択されうる。例えば、アルミノシリケートガラス（例えば、Ｃｏｒｎｉｎｇ製のＤＶＴＳ）は、カバーガラス１０４用のガラス材料に好適な一選択肢である。ガラス材料の他の例としては、ソーダ石灰、ホウケイ酸塩及びこれらに類するものが挙げられるが、これらに限定されない。カバーガラス１０４の代わりにセラミックカバー１０４を使用する別の実施形態においては、セラミックカバー１０４用のセラミック材料は、入手可能な強度の大きなセラミックから選択されうる。例えば、ジルコニア系セラミックは、セラミックカバー１０４用のセラミック材料に関する好適な選択でありうる。セラミック材料の他の例としては、アルミナセラミック及びこれらに類するものが挙げられるが、これらに限定されない。
【００４１】
透明なカメラ用ウィンドウ１０６及び／又は透明な照明器用ウィンドウ１０８及び／又は透明なディスプレイ用ウィンドウ１１４はカバーガラス１０４（又はセラミックカバー１０４）に統合することができる。透明なカメラ用ウィンドウ１０６及び／又は透明な照明器用ウィンドウ及び／又は透明なディスプレイ用ウィンドウ１１４はガラスを含みうる。しかし、幾つかの実施形態では、透明なカメラ用ウィンドウ１０６及び／又は透明な照明器用ウィンドウ１０８及び／又は透明なディスプレイ用ウィンドウ１１４はプラスチックを含みうる。
【００４２】
カバーガラス小片の縁（又は幾つかの実施形態ではセラミックカバー小片）は特定の所定の形状に合致するように形成されうる。特定の所定の形状に合致するようにカバーガラス１０４（又はセラミックカバー１０４）の縁を機械加工することより、カバーガラス１０４（又はセラミックカバー１０４）は強度を増し、これによって損傷を受けにくくなりうる。
【００４３】
なお、本明細書において後ほど詳述するように、カバーガラス１０４は、更に強化されるように選択的に化学的処理を施してもよい。好適な化学的処理の１つは、カリウム（例ＫＮＯ３）含有の化学浴槽中で、高温にて一定期間（例えば、数時間）カバーガラスの１つ以上の表面部分を選択的に暴露することである。選択的な化学的処理により、選択的に暴露されたカバーガラスの表面部分における圧縮応力が、望ましいように上昇する場合がある。圧縮応力が上昇すると、結果として、イオン交換が為されうる。その際、Ｋ＋イオンは、カバーガラス１０４における選択的に暴露された表面部分で又はその近くで、いくつかのＮａ＋イオンを効率的に置換する。
【００４４】
同様に、あるセラミックスは化学的に強化できる。カバーガラス１０４の代わりにセラミックカバー１０４を使用する実施形態においては、もしセラミックカバー１０４のセラミック材料が化学的に強化できれば、セラミックカバー１０４は化学的に強化されうる。
【００４５】
更に、ベーリンググレア（ｖｅｉｌｉｎｇ ｇｌａｒｅ）を低減することにより、透明なカメラ用ウィンドウ１０６を介してカメラでキャプチャされた画像又は映像の品質の向上も可能になることは理解すべきである。カバーガラス１０４は透明なカメラ用ウィンドウ１０６を含み、それに隣接したガラス領域は暗い又は不透明である。透明なカメラ用ウィンドウ１０６に隣接してカメラを配置してもよい。透明なカメラ用ウィンドウ１０６に隣接したカバーガラス１０４のガラス領域は、カバーガラス１０４を通した、カメラにおけるベーリンググレアを実質的に低減するのに十分に暗い又は不透明であってよい。
【００４６】
同様に、カバーガラス１０４の代わりにセラミックカバー１０４を用いる実施形態において、セラミックカバー１０４は透明なカメラ用ウィンドウ１０６を含み、それに隣接したセラミック領域は暗い又は不透明である。今しがた説明したように、透明なカメラ用ウィンドウ１０６に隣接してカメラを配置してもよい。透明なカメラ用ウィンドウ１０６に隣接したセラミックカバー１０４のセラミック領域は、セラミックカバー１０４を通した、カメラにおけるベーリンググレアを実質的に低減するのに十分に暗い又は不透明であってもよい。
【００４７】
カバーガラス１０４の暗い又は不透明なガラス材料（又は、セラミックカバー１０４の暗い又は不透明なセラミック材料）はベーリンググレアを実質的に低減し、そのような散乱した迷光（ｓｔｒａｙ ｌｉｇｈｔ）がカメラの像平面に到達するのを実質的に抑制しうる。そうしないと、ベーリンググレアは、カメラでキャプチャされた画像又は映像のコントラスト及び解像度を低減しうる。
【００４８】
カバーガラス１０４の暗い又は不透明なガラス材料（セラミックカバー１０４の暗い又は不透明なセラミック材料）は、透明なカメラ用ウィンドウ１０６と透明な照明器用ウィンドウ１０８との実質的な光学的分離をもたらすために、十分に暗い又は不透明であってもよい。同様に、カバーガラス１０４の暗い又は不透明なガラス材料（セラミックカバー１０４の暗い又は不透明なセラミック材料）は、透明なカメラ用ウィンドウ１０６と透明なディスプレイ用ウィンドウ１１４との実質的な光学的分離をもたらすために、十分に暗い又は不透明であってもよい。前述の光学的分離は、カメラにおける照明器及びディスプレイからのベーリンググレアを実質的に低減しうる。
【００４９】
例えば、照明器からの照明が透明な照明器用ウィンドウ１０８を通って外へ放射されるとき、照明器からの迷光光線のいくらかは、カバーガラス１０４の暗い又は不透明なガラス材料（又は、セラミックカバー１０４の暗い又は不透明なセラミック材料）にぶつかると、実質的に減衰しうる。カバーガラス１０４の暗い又は不透明なガラス材料（又は、セラミックカバー１０４の暗い又は不透明なセラミック材料）は、照明器からの迷光光線を実質的に減衰させるために十分に暗い又は不透明であってもよく、それによって、透明なカメラ用ウィンドウ１０６と透明な照明器用ウィンドウ１０８との実質的な光学的分離をもたらすことができる。前述は、カメラにおける照明器からのベーリンググレアを実質的に低減しうる。
【００５０】
したがって、カバーガラス１０４の暗い又は不透明なガラス材料（又は、セラミックカバー１０４の暗い又は不透明なセラミック材料）は、透明なカメラ用ウィンドウ１０６に関連したカメラと、照明器用ウィンドウ１０８に関連した照明器との間のカバーガラス１０４の中に（又はセラミックカバー１０４の中に）に配設されうることを理解すべきである。カバーガラス１０４の暗い又は不透明なガラス材料（又は、セラミックカバー１０４の暗い又は不透明なセラミック材料）は、照明器からの光がカバーガラス１０４（又はセラミックカバー１０４）を経由してカメラに結合することを実質的に低減するように機能しうる。もっと正確に言えば、カバーガラス１０４の暗い又は不透明なガラス材料（又は、セラミックカバー１０４の暗い又は不透明なセラミック材料）は、照明器からのベーリンググレアがカバーガラス１０４（又はセラミックカバー１０４）を経由してカメラに結合することを実質的に低減するように機能しうる。
【００５１】
別の実施例として、透明なディスプレイ用ウィンドウ１１４からの光が、透明なディスプレイ用ウィンドウを通って外へ放射されるとき、ディスプレイからの迷光光線は、カバーガラス１０４の暗い又は不透明なガラス材料（又は、セラミックカバー１０４の暗い又は不透明なセラミック材料）にぶつかると、実質的に減衰しうる。カバーガラス１０４の暗い又は不透明なガラス材料（又は、セラミックカバー１０４の暗い又は不透明なセラミック材料）は、ディスプレイからの迷光光線を実質的に減衰させるために十分に暗い又は不透明であってもよく、それによって、透明なカメラ用ウィンドウ１０６と透明なディスプレイ用ウィンドウ１１４との実質的な光学的分離をもたらすことができる。前述は、カメラにおけるディスプレイからのベーリンググレアを実質的に低減しうる。言い換えれば、カバーガラス１０４（又はセラミックカバー１０４）の隣接したガラス又はセラミックの領域１１１は、カバーガラス１０４（又はセラミックカバー１０４）を通したカメラにおけるベーリンググレアを実質的に低減するのに十分に暗い又は不透明であってよい。
【００５２】
したがって、カバーガラス１０４の暗い又は不透明なガラス材料（又は、セラミックカバー１０４の暗い又は不透明なセラミック材料）は、透明なカメラ用ウィンドウ１０６に関連したカメラとディスプレイ用ウィンドウ１１４に関連したディスプレイとの間のカバーガラス１０４の中に（又はセラミックカバー１０４の中に）に配設されうることを理解すべきである。カバーガラス１０４の暗い又は不透明なガラス材料（又は、セラミックカバー１０４の暗い又は不透明なセラミック材料）は、ディスプレイからの光がカバーガラス１０４（又はセラミックカバー１０４）を経由してカメラに結合することを実質的に低減するように機能しうる。もっと正確に言えば、カバーガラス１０４の暗い又は不透明なガラス材料（又は、セラミックカバー１０４の暗い又は不透明なセラミック材料）は、ディスプレイのベーリンググレアがカバーガラス１０４（又はセラミックカバー１０４）を経由してカメラに結合することを実質的に低減するように機能しうる。
【００５３】
図の濃淡に示すように（そして、図１Ｂの詳細図に陰影をつけて具体的に示すように）、カバーガラス１０４（又はセラミックカバー１０４）は、透明なカメラ用ウィンドウ１０６を含む実質的に滑らかな外表面を有しうる。透明なカメラ用ウィンドウ１０６は、透明なカメラ用ウィンドウ１０６の周辺部をカバーガラス１０４（又はセラミックカバー１０４）に実質的に固定するため、第１の接合界面１１０Ａに実質的に囲まれた周辺部を有してもよい。カバーガラス１０４（又はセラミックカバー１０４）の外表面をラッピング加工して、透明なカメラ用ウィンドウ１０６、第１の接合界面１１０Ａ及びカバーガラス１０４（又はセラミックカバー１０４）の隣接した領域１１１にわたって平面に仕上げることができる。
【００５４】
本明細書において後ほど詳述するように、第１の接合界面１１０Ａは、透明なカメラ用ウィンドウ１０６の周辺部のガラス材料とカバーガラス１０４の実質的に類似な又は実質的に異なるガラス材料との溶融接合（ｆｕｓｉｏｎ ｂｏｎｄ）を含んでもよい。カバーガラス１０４の代わりにセラミックカバー１０４を用いる実施形態において、第１の接合界面１１０Ａは、透明なカメラ用ウィンドウ１０６の周辺部のガラス材料とセラミックカバー１０４のセラミック材料との溶融接合を含んでもよい。
【００５５】
カメラは、透明なカメラ用ウィンドウ１０６に隣接して、第１の接合界面１１０Ａの内側に配置してもよい。第１の接合界面１１０Ａは、カバーガラス１０４（又はセラミックカバー１０４）の中で、カメラと、カバーガラス１０４（又はセラミックカバー１０４）の隣接した領域１１１との間に介在することができる。より具体的には、第１の接合界面１１０Ａは、カバーガラス１０４（又はセラミックカバー１０４）の中で、透明なカメラ用ウィンドウ１０６と、カバーガラス１０４（又はセラミックカバー１０４）の隣接した領域１１１との間に介在することができる。
【００５６】
同様に、透明な照明器用ウィンドウ１０８は、透明な照明器用ウィンドウ１０８の周辺部をカバーガラス１０４（又はセラミックカバー１０４）に実質的に固定するための第２の接合界面１１０Ｂによって実質的に囲まれた周辺部を有してもよい。カバーガラス１０４（又はセラミックカバー１０４）の外表面をラッピング加工して、透明な照明器用ウィンドウ１０８、第２の接合界面１１０Ｂ及びカバーガラス１０４（又はセラミックカバー１０４）の隣接した領域１１１にわたって平面に仕上げることができる。本明細書において後ほど詳述するように、第２の接合界面１１０Ｂは、透明な照明器用ウィンドウ１０８の周辺部のガラス材料とカバーガラス１０４の実質的に類似な又は実質的に異なるガラス材料との溶融接合を含んでもよい。カバーガラス１０４の代わりにセラミックカバー１０４を用いる実施形態において、第２の接合界面１１０Ｂは、透明な照明器用ウィンドウ１０８の周辺部のガラス材料とセラミックカバー１０４のセラミック材料との溶融接合を含んでもよい。
【００５７】
照明器を透明な照明器用ウィンドウ１０８に隣接して、第２の接合界面１１０Ｂの内側に配置してもよい。第２の接合界面１１０Ｂは、カバーガラス１０４（又はセラミックカバー１０４）の中で、照明器と、カバーガラス１０４（又はセラミックカバー１０４）の隣接した領域１１１との間に介在することができる。より具体的には、第２の接合界面１１０Ｂは、カバーガラス１０４（又はセラミックカバー１０４）の中で、透明な照明器用ウィンドウ１０８と、カバーガラス１０４（又はセラミックカバー１０４）の隣接した領域１１１との間に介在することができる。
【００５８】
同様に、透明なディスプレイ用ウィンドウ１１４は、カバーガラス１０４（又はセラミックカバー１０４）に透明なディスプレイ用ウィンドウ１１４の周辺部を実質的に固定するための第３の接合界面１１０Ｃによって実質的に囲まれた周辺部を有してもよい。カバーガラス１０４（又はセラミックカバー１０４）の外表面をラッピング加工して、透明なディスプレイ用ウィンドウ１１４、第３の接合界面１１０Ｃ及びカバーガラス１０４（又はセラミックカバー１０４）の隣接した領域１１１にわたって平面に仕上げることができる。本明細書において後ほど詳述するように、第３の接合界面１１０Ｃは、透明なディスプレイ用ウィンドウ１１４の周辺部のガラス材料とカバーガラス１０４の実質的に類似な又は実質的に異なるガラス材料との溶融接合を含んでもよい。カバーガラス１０４の代わりにセラミックカバー１０４を用いる実施形態において、第３の接合界面１１０Ｃは、透明なディスプレイ用ウィンドウ１１４の周辺部のガラス材料とセラミックカバー１０４のセラミック材料との溶融接合を含んでもよい。
【００５９】
ディスプレイは、透明なディスプレイ用ウィンドウ１１４に隣接して、第３の接合界面１１０Ｃの内側に配置してもよい。第３の接合界面１１０Ｃは、カバーガラス１０４（又はセラミックカバー１０４）の中で、ディスプレイと、カバーガラス１０４（又はセラミックカバー１０４）の隣接した領域１１１との間に介在することができる。より具体的には、第３の接合界面１１０Ｃは、カバーガラス１０４（又はセラミックカバー１０４）の中で、透明なディスプレイ用ウィンドウ１１４と、カバーガラス１０４（又はセラミックカバー１０４）の隣接した領域１１１との間に介在することができる。
【００６０】
第１の接合界面１１０Ａ、第２の接合界面１１０Ｂ及び第３の接合界面１１０Ｃは薄くて、肉眼で見ることは困難でありうる。図を判り易くするため、第１の接合界面１１０Ａ、第２の接合界面１１０Ｂ及び第３の接合界面１１０Ｃの視覚的な描写がかなり誇張して示してある。
【００６１】
図１Ｃの簡略化した断面図で示すように、電子デバイス１００は筐体１０２を含みうる（図１Ｃにかなり簡略化して示してある）。電気部品１０３は、筐体１０２の内部に配設されうる。本明細書において前述したように、電気部品としては、コントローラ（又はプロセッサ）、メモリ、バッテリ、ディスプレイ、カメラ、及びフラッシュなどの照明器が挙げられるが、これらに限定されるものではない。カバーガラス１０４（又はセラミックカバー１０４）は、例えば、接着剤１０５を用いて筐体１０２に結合されてもよい。図を判り易くするため、断面図に、カバーガラス１０４（又はセラミックカバー１０４）の相対的厚さをかなり誇張して示してある。図１Ｃの断面図に示すように、カバーガラス１０４（又はセラミックカバー１０４）は、第１の接合界面により実質的に囲まれた透明なカメラ用ウィンドウ１０６と、第２の接合界面で実質的に囲まれた透明な照明器用ウィンドウ１０８を含む実質的に滑らかな外表面とを有しうる。第１の接合界面は、カバーガラス１０４（又はセラミックカバー１０４）の中で、透明なカメラ用ウィンドウ１０６と、カバーガラスの隣接した領域１１１との間に介在することができる。
【００６２】
図１Ｄに、電子デバイス１００の一部分が断面図に簡略的に示されており、これによって、電子デバイス１００の電子部品のカメラ１０７におけるベーリンググレアを低減するカバーガラス１０４の暗い又は不透明なガラス材料（又は、セラミックカバー１０４の暗い又は不透明なセラミック材料）の働きが説明される。カバーガラス１０４の暗い又は不透明なガラス材料（又は、セラミックカバー１０４の暗い又は不透明なセラミック材料）は、透明なカメラ用ウィンドウ１０６と透明な照明器用ウィンドウ１０８との実質的な光学的分離をもたらすために、十分に暗い又は不透明であってもよい。この光学的分離は、カメラにおける照明器からのベーリンググレアを実質的に低減しうる。図１Ｄに、光線を表すために概念的な破線の矢印を用いている。
【００６３】
照明器１０９からの照明が透明な照明器用ウィンドウ１０８を通って外へ放射される様子を図１Ｄに示している。この照明Ｌ１は図１Ｄに概念的な破線の矢印Ｌ１により表されている。照明器１０９からの照明Ｌ１が透明な照明器用ウィンドウ１０８を通って外へ放射されるときに、照明器からのある迷光光線Ｌ２（概念的な破線の矢印Ｌ２により示されるように）は、カバーガラス１０４の暗い又は不透明なガラス材料（又は、セラミックカバー１０４の暗い又は不透明なセラミック材料）にぶつかると、実質的に減衰しうる。すなわち、カバーガラス１０４の暗い又は不透明なガラス材料（又は、セラミックカバー１０４の暗い又は不透明なセラミック材料）は、照明器からの迷光光線Ｌ２（概念的な破線の矢印Ｌ２により示されるように）を実質的に減衰させるために十分に暗い又は不透明であってもよい。これによって、透明なカメラ用ウィンドウ１０６と透明な照明器用ウィンドウ１０８との実質的な光学的分離をもたらすことができる。前述は、照明器１０９からのカメラ１０７におけるベーリンググレアを実質的に低減しうる。したがって、カバーガラス１０４の暗い又は不透明なガラス材料（又は、セラミックカバー１０４の暗い又は不透明なセラミック材料）が概念的な破線の矢印Ｌ２を実質的に遮断する様子が図１Ｄに示されており、これによって、照明器１０９からのベーリンググレアが実質的に低減されることを表している。
【００６４】
したがって、カバーガラス１０４の暗い又は不透明なガラス材料（又は、セラミックカバー１０４の暗い又は不透明なセラミック材料）は、透明なカメラ用ウィンドウ１０６に関連したカメラ１０７と、照明器用ウィンドウ１０８に関連した照明器１０９との間のカバーガラス１０４の中に（又はセラミックカバー１０４の中に）配設されうる。カバーガラス１０４の暗い又は不透明なガラス材料（又は、セラミックカバー１０４の暗い又は不透明なセラミック材料）は、照明器からの迷光光線Ｌ２がカバーガラス１０４（又はセラミックカバー１０４）を経由してカメラに結合することを実質的に低減するように機能しうる。もっと正確に言えば、カバーガラス１０４の暗い又は不透明なガラス材料（又は、セラミックカバー１０４の暗い又は不透明なセラミック材料）は、照明器１０９からのベーリンググレアがカバーガラス１０４（又はセラミックカバー１０４）を経由してカメラ１０７に結合することを実質的に低減するように機能しうる。
【００６５】
言い換えれば、図１Ｄにおいて、カバーガラス１０４（又はセラミックカバー１０４）は、透明なカメラ用ウィンドウ１０６及びそれに隣接した暗い又は不透明であるガラス又はセラミックの領域１１１を含みうる。カメラ１０７が透明なカメラ用ウィンドウ１０６を通して意図した光線Ｌ３を受けるように、透明なカメラ用ウィンドウ１０６に隣接してカメラ１０７を配置してもよい。透明なカメラ用ウィンドウ１０６を通して意図した光線Ｌ３を受けることよって、カメラ１０７は画像又は映像をキャプチャしうる。
【００６６】
カバーガラス１０４（又はセラミックカバー１０４）の隣接したガラス又はセラミックの領域１１１は、カバーガラス１０４（又はセラミックカバー１０４）を通した、カメラ１０７におけるベーリンググレアを実質的に低減するのに十分に暗い又は不透明であってもよい。カバーガラス１０４の暗い又は不透明なガラス材料（セラミックカバー１０４の暗い又は不透明なセラミック材料）はベーリンググレアを実質的に低減し、散乱した迷光がカメラの像平面に到達するのを実質的に抑制しうる。そうでなければ、そのようなベーリンググレアは、カメラ１０７でキャプチャされた画像又は映像のコントラスト及び解像度を低減する可能性がある。
【００６７】
照明器１０９はベーリンググレアのありうる発生源の一つとして既に詳細に説明したが、ベーリンググレアは電子デバイス１００の内部から発生しうる。既に説明したように、照明器からの迷光光線Ｌ２（概念的な破線の矢印Ｌ２により示されるように）の幾つかは、カバーガラス１０４の暗い又は不透明なガラス材料（又は、セラミックカバー１０４の暗い又は不透明なセラミック材料）にぶつかると、実質的に減衰しうる。しかし、電子デバイス１００のディスプレイはベーリンググレアの別のありうる発生源であり、ベーリンググレアは電子デバイス１００の内部から発生しうる。既に説明したように、カバーガラス１０４（又はセラミックカバー１０４）の隣接したガラス又はセラミックの領域１１１は、ディスプレイからの迷光光線を実質的に減衰させるために十分に暗い又は不透明であってもよく、それによって、透明なディスプレイ用ウィンドウ１１４を通した透明なカメラ用ウィンドウ１０６とディスプレイとの実質的な光学的分離をもたらすことができる。そして、この領域１１１は、カバーガラス１０４（又はセラミックカバー１０４）を通したカメラ１０７におけるベーリンググレアを実質的に低減しうる。
【００６８】
更に、ベーリンググレアのありうる他の発生源が存在し、それは電子デバイス１００の外部から発生しうる。電子デバイスの外部から発生する更なる迷光光線Ｌ４（概念的な破線の矢印Ｌ４により図１Ｄに示されるように）を図１Ｄに示す。そのような、電子デバイスの外部から発生する更なる迷光光線Ｌ４は、カバーガラス１０４の暗い又は不透明なガラス材料（又は、セラミックカバー１０４の暗い又は不透明なセラミック材料）にぶつかると、実質的に減衰されうる。したがって、カバーガラス１０４の少なくとも一部の暗い又は不透明なガラス材料（又は、セラミックカバー１０４の暗い又は不透明なセラミック材料）が概念的な破線の矢印Ｌ４を実質的に遮断する様子が図１Ｄに示されており、これによって、電子デバイス１００の外部から発生するベーリンググレアを実質的に低減することを表している。
【００６９】
図２Ａ〜図４Ｂは、カバーガラスのガラス材料又はセラミックカバーのセラミック材料を加工するための実施形態を示す。
【００７０】
図２Ａは、シートガラスから切り離して単体にすることができるカバーガラス２０４の斜視図を示す。カバーガラス２０４の代わりにセラミックカバー２０４を加工する実施形態において、セラミックカバー２０４はセラミックシートから切り離して単体にすることができる。図２Ｂは、カバーガラス２０４又はセラミックカバー２０４の周辺領域を示す詳細図である。
【００７１】
図３Ａは、第１、第２、及び第３の開口部３１２Ａ、３１２Ｂ、３１２Ｃがカバーガラス３０４（又はセラミックカバー３０４）に形成された後の加工されたカバーガラス３０４（又は加工されたセラミックカバー３０４）の斜視図を示す。開口部３１２Ａ、３１２Ｂ、３１２Ｃは、例えば、穴開け、切断、フライス加工、又はその他の機械加工の方法により、多様な手段で形成してもよい。図３Ｂは、第１、第２の開口部３１２Ａ、３１２Ｂを有する加工されたカバーガラス３０４（又は加工されたセラミックカバー３０４）の周辺領域の詳細図を示す。
【００７２】
更に加工されたカバーガラス４０４（又は更に加工されたセラミックカバー４０４）について、図４Ａは斜視図を示し、図４Ｂは詳細図を示す。図に示すように、透明なカメラ用ウィンドウ４０６は第１の開口部４１２Ａに配設され、カバーガラス４０４を通して（又はセラミックカバー４０４を通して）延在しうる。透明な照明器用ウィンドウ４０８は第２の開口部４１２Ｂに配設され、同様にカバーガラス４０４を通して（又はセラミックカバー４０４を通して）延在しうる。透明なディスプレイ用ウィンドウ４１４は、第３の開口部４１２Ｃに配設され、同様にカバーガラス４０４を通して（又はセラミックカバー４０４を通して）延在しうる。
【００７３】
透明なカメラ用ウィンドウ４０６、透明な照明器用ウィンドウ４０８及び透明なディスプレイ用ウィンドウ４１４は、好適な大きさのガラスの栓、ペグ又は小片として形成されることができ、例えば、摂氏約６００度（℃）から約７００度（℃）の間の好適な温度に加熱して、高温で定位置に圧入されてもよい。そのような熱は、透明なカメラ用ウィンドウ４０６、透明な照明器用ウィンドウ４０８及び透明なディスプレイ用ウィンドウ４１４をカバーガラス４０４（又はセラミックカバー４０４）に固定するために加えうる。
【００７４】
図に示すように（図４Ｂの詳細図に陰影をつけて具体的に示すように）、カバーガラス４０４（又はセラミックカバー１０４）は、透明なカメラ用ウィンドウ４０６を含む実質的に滑らかな外表面を有しうる。透明なカメラ用ウィンドウ４０６は、透明なカメラ用ウィンドウ４０６の周辺部をカバーガラス４０４（又はセラミックカバー４０４）に実質的に固定するため、第１の接合界面４１０Ａに実質的に囲まれた周辺部を有しうる。カバーガラス４０４（又はセラミックカバー４０４）及び／又は透明なカメラ用ウィンドウ４０６の外表面をラッピング加工して、透明なカメラ用ウィンドウ４０６、第１の接合界面４１０Ａ及びカバーガラス４０４（又はセラミックカバー４０４）の隣接した領域４１１にわたって平面に仕上げることができる。
【００７５】
第１の接合界面４１０Ａは、透明なカメラ用ウィンドウ４０６の周辺部のガラス材料とカバーガラス４０４の実質的に類似な又は実質的に異なるガラス材料との溶融接合を含んでもよい。そのような溶融接合４１０Ａは、透明なカメラ用ウィンドウ４０６をカバーガラス４０４に固定するために本明細書において前に説明した加熱により、形成されうる。
【００７６】
カバーガラス４０４の代わりにセラミックカバー４０４を用いる実施形態において、第１の接合界面４１０Ａは、透明なカメラ用ウィンドウ４０６の周辺部のガラス材料とセラミックカバー４０４のセラミック材料との溶融接合を含んでもよい。そのような溶融接合４１０Ａは、透明なカメラ用ウィンドウ４０６をセラミックカバー４０４に固定するための本明細書において前に説明した加熱により、形成されうる。
【００７７】
同様に、透明な照明器用ウィンドウ４０８は、カバーガラス４０４（又はセラミックカバー４０４）に透明な照明器用ウィンドウ４０８の周辺部を実質的に固定するための第２の接合界面４１０Ｂによって実質的に囲まれた周辺部を有してもよい。カバーガラス４０４（又はセラミックカバー４０４）及び／又は透明な照明器用ウィンドウ４０８の外表面をラッピング加工して、透明な照明器用ウィンドウ４０８、第２の接合界面４１０Ｂ及びカバーガラス４０４（又はセラミックカバー４０４）の隣接した領域４１１にわたって平面に仕上げることができる。
【００７８】
第２の接合界面４１０Ｂは、透明な照明器用ウィンドウ４０８の周辺部のガラス材料とカバーガラス４０４の実質的に類似な又は実質的に異なるガラス材料との溶融接合を含んでもよい。そのような溶融接合４１０Ｂは、透明な照明器用ウィンドウ４０８をカバーガラス４０４に固定するための本明細書において前に説明した加熱により、形成されうる。
【００７９】
カバーガラス４０４の代わりにセラミックカバー４０４を用いる実施形態において、第２の接合界面４１０Ｂは、透明な照明器用ウィンドウ４０８の周辺部のガラス材料とセラミックカバー４０４のセラミック材料との溶融接合を含んでもよい。そのような溶融接合４１０Ｂは、透明な照明器用ウィンドウ４０８をセラミックカバー４０４に固定するための本明細書において前に説明した加熱により、形成されうる。
【００８０】
同様に、透明なディスプレイ用ウィンドウ４１４は、カバーガラス４０４（又はセラミックカバー４０４）に透明なディスプレイ用ウィンドウ４１４の周辺部を実質的に固定するための第３の接合界面４１０Ｃによって実質的に囲まれた周辺部を有してもよい。カバーガラス４０４（又はセラミックカバー４０４）及び／又は透明なディスプレイ用ウィンドウ４１４の外表面をラッピング加工して、透明なディスプレイ用ウィンドウ４１４、第３の接合界面４１０Ｃ及びカバーガラス４０４（又はセラミックカバー４０４）の隣接した領域４１１にわたって平面に仕上げることができる。
【００８１】
第３の接合界面４１０Ｃは、透明なディスプレイ用ウィンドウ４１４の周辺部のガラス材料とカバーガラス４０４の実質的に類似な又は実質的に異なるガラス材料との溶融接合を含んでもよい。そのような溶融接合４１０Ｃは、透明なディスプレイ用ウィンドウ４１４をカバーガラス４０４に固定するための本明細書において前に説明した加熱により、形成されうる。
【００８２】
カバーガラス４０４の代わりにセラミックカバー４０４を用いる実施形態において、第３の接合界面４１０Ｃは、透明なディスプレイ用ウィンドウ４１４の周辺部のガラス材料とセラミックカバー４０４のセラミック材料との溶融接合を含んでもよい。そのような溶融接合４１０Ｃは、透明なディスプレイ用ウィンドウ４１４をセラミックカバー４０４に固定するための本明細書において前に説明した加熱により、形成されうる。
【００８３】
図５Ａ〜図５Ｃは、カバーガラス５０４のガラス材料又はセラミックカバー５０４のセラミック材料を加工するための実施形態を説明する簡略化された断面図である。図５Ａは、第１及び第２の開口部５１２Ａ、５１２Ｂがカバーガラス５０４（又はセラミックカバー５０４）に形成された後のカバーガラス５０４（又は加工されたセラミックカバー５０４）の断面図を示す。透明なディスプレイ用ウィンドウを収容する第３の開口部は、図５Ａ〜図５Ｃに示されていない。本明細書において前述したように、開口部は、例えば、穴開け、切断、フライス加工、又はその他の機械加工の方法により、多様な手段で形成してもよい。図５Ａで示される実施形態において、カバーガラス５０４のガラス材料（又はセラミックカバー５０４のセラミック材料）は暗い又は不透明であってもよく、右から左へのハッチングの描写で示される。
【００８４】
図５Ｂは、長い／厚い透明なカメラ用ウィンドウ５０６Ａと、長い／厚い透明な照明器用ウィンドウ５０８Ａとが第１及び第２の開口部５１２Ａ、５１２Ｂの中に配設された後の、暗い又は不透明なカバーガラス５０４（又はセラミックカバー５０４）の断面図を示す。第１及び第２の開口部５１２Ａ、５１２Ｂは、暗い又は不透明なカバーガラス５０４（又はセラミックカバー５０４）を通して延びている。同様に、長い／厚い透明なディスプレイ用ウィンドウは、第３の開口部の中に配設されてもよい。（図５Ｂに示されていない）。
【００８５】
透明なカメラ用ウィンドウ５０６及び透明な照明器用ウィンドウ５０８及び透明なディスプレイ用ウィンドウは、好適な大きさのガラスの栓又はペグ又は小片として形成されることができ、例えば、摂氏約６００度（℃）から約７００度（℃）の間の好適な温度に加熱して、高温で定位置に圧入されてもよい。そのような熱は、透明なカメラ用ウィンドウ５０６、透明な照明器用ウィンドウ５０８及び透明なディスプレイ用ウィンドウのいずれかをカバーガラス５０４（又はセラミックカバー５０４）に固定するために加えうる。
【００８６】
言い換えれば、長い／厚い透明なカメラ用ウィンドウ５０６Ａ、長い／厚い透明な照明器用ウィンドウ５０８Ａ及び長い／厚い透明なディスプレイ用ウィンドウは、長い／厚いガラスの栓、ペグ又は小片として形成されることができ、例えば、摂氏約６００度（℃）から約７００度（℃）の間の好適な温度に加熱して、高温で定位置に圧入されてもよい。次に説明するように、長い／厚い透明なカメラ用ウィンドウ５０６Ａ、長い／厚い透明な照明器用ウィンドウ５０８Ａ及び長い／厚い透明なディスプレイ用ウィンドウは、好適な研磨用スラリー（例えば酸化セシウムを含む）を用いて、ラッピング加工することができ、暗くて不透明なカバーガラス５０４（又はセラミックカバー５０４）の外表面を平面にすることができる。
【００８７】
例えば、図５Ｃの断面図に示すように、暗い又は不透明なカバーガラス５０４（又はセラミックカバー５０４）は、透明なカメラ用ウィンドウ５０６Ｂ及び透明な照明器用ウィンドウ５０８Ｂを含む実質的に滑らかな外表面を有しうる。透明なディスプレイ用ウィンドウは図５Ｃに図示していない。その結果として生じる、暗い又は不透明なカバーガラス５０４（又はセラミックカバー５０４）の外表面は、透明なカメラ用ウィンドウ５０６Ｂ、透明な照明器用ウィンドウ５０８Ｂ、及び透明なディスプレイ用ウィンドウ、並びに暗い又は不透明なカバーガラス５０４（又はセラミックカバー５０４）の隣接した領域５１１にわたって平面にすることができる。
【００８８】
図５Ｄは、消費者向け電子製品５００の簡略化した断面図である。消費者向け電子製品５００は、筐体及び少なくとも部分的に筐体の内部に配設された電気部品を含んでもよい。電気部品は少なくともカメラ５０７及び照明器５０９を含む。
【００８９】
消費者向け電子製品５００は、筐体に結合されたカバーガラス５０４（又はセラミックカバー５０４）を含むことができる。カバーガラス５０４（又はセラミックカバー５０４）は、透明なカメラ用ウィンドウ５０６Ｂ、透明な照明器用ウィンドウ５０８Ｂ、及び暗い又は不透明である隣接した領域５１１（ガラス又はセラミック）を含みうる。透明なディスプレイ用ウィンドウは図５Ｄに示されていない。カメラ５０７は、透明なカメラ用ウィンドウ５０６Ｂに隣接して配置してもよい。照明器５０９は、透明な照明器用ウィンドウに隣接して配置してもよい。隣接する領域５１１は、カバーガラス５０４（又はセラミックカバー）を通したカメラ５０７におけるグレアを実質的に低減するのに十分に暗い又は不透明であってよい。
【００９０】
カバーガラス５０４（又はセラミックカバー５０４）は、透明なカメラ用ウィンドウ５０６Ｂ、透明な照明器用ウィンドウ５０８Ｂ、透明なディスプレイ用ウィンドウ、及び隣接した領域５１１にわたって延在する実質的に滑らかな外表面を有しうる。カバーガラス５０４（又はセラミックカバー５０４）は、透明なカメラ用ウィンドウ５０６Ｂ、透明な照明器用ウィンドウ５０８Ｂ、透明なディスプレイ用ウィンドウ及び隣接した領域５１１にわたって平面となるようにラッピング加工された外表面を有しうる。
【００９１】
図６は、カバーガラス６０４のようなカバーの暴露面部分の化学強化の詳細な部分断面図を示す図である。図６は、加熱されたカリウム浴６１６（例えば、溶融した硝酸カリウム（ＫＮＯ３）浴）にカバーガラス６０４を沈めて、カバーガラス６０４に化学強化を施す化学的処理工程を、図式的に示している。加熱されたカリウム浴６１６中にカバーガラス６０４が沈められる又は浸漬されると、カバーガラス６０４の暴露面部分にて拡散及びイオン交換が発生しうる。
【００９２】
図６に示すように、カバーガラス６０４内に存在するＮａ＋イオン６１５をカリウム浴６１６中に拡散させることができる一方、圧縮面層６１９を形成できるようにカリウム浴６１６中のＫ＋イオン６１７をカバーガラス６０４中に拡散させることができる。言い換えると、カリウム浴６１６からのＫ＋イオン６１７を、Ｎａ＋イオン６１５と交換することによって圧縮面層６１９を形成しうる。Ｋ＋イオン６１７は圧縮面層６１９の圧縮応力の表面応力（ＣＳ）を提供でき、それにより、カバーガラス６０４の圧縮面層６１９に化学強化が施される。圧縮面層６１９は、クロスハッチングを使用して強調されている。
【００９３】
図６において、カバーガラス６０４は厚さ（ｔ）を有するものとして示されている。化学的処理パラメータ、例えば、化学強化処理の時間の長さ及び／又はカリウム浴６１６中のＫ＋イオン６１７の濃度を制御することによって、圧縮面層６１９の深度（ｄ）、及び圧縮面層６１９の圧縮応力の表面応力（ＣＳ）は実質的に制御されうる。幾つかの事例においては、Ｋ＋イオン６１７が、カバーガラス６０４の中央部分６２１に拡散しないこともありうる。図６では、中央部分６２１がクロスハッチングなしで示されている。カバーガラス６０４の中心部分６２１は、圧縮面層６１９の圧縮応力の表面応力（ＣＳ）に対応して、中心張力（ＣＴ）を有しうる。
【００９４】
そのような化学強化は、透明なカメラ用ウィンドウ、透明な照明器用ウィンドウ、及び透明なディスプレイ用ウィンドウ、並びにカバーガラスの隣接した領域、のガラス材料を強化できる。更に、あるセラミックスは化学的に強化できる。カバーガラスの代わりにセラミックカバーを使用する実施形態においては、もしセラミックカバーのセラミック材料が化学的に強化できれば、セラミックカバーは化学的に強化できうる。そのような場合、化学強化はセラミックカバーの隣接した領域を強化することができる。
【００９５】
図７Ａ及び図７Ｂは、カバーガラス７０４（又はセラミックカバー７０４）の化学強化の実施形態を説明する簡略化された断面図である。図７Ａは、任意の化学強化の前のカバーガラス７０４（又はセラミックカバー７０４）を示す。図７Ｂは、任意の化学強化の後のカバーガラス７０４（又はセラミックカバー７０４）を示す。
【００９６】
図７Ａ及び図７Ｂに示すように、カバーガラス７０４（又はセラミックカバー７０４）は、透明なカメラ用ウィンドウ７０６及び透明な照明器用ウィンドウ７０８を含む実質的に滑らかな外表面を有しうる。透明なディスプレイ用ウィンドウは、図７Ａ及び図７Ｂに図示していない。カバーガラス７０４（又はセラミックカバー７０４）の外表面は、例えば、化学強化の前に、透明なカメラ用ウィンドウ７０６、透明な照明器用ウィンドウ７０８、透明なディスプレイ用ウィンドウ及びカバーガラス７０４（又はセラミックカバー７０４）の隣接した領域７１１にわたってラッピング加工して平面にすることができる。
【００９７】
図７Ｂは、化学強化の後における透明なカメラ用ウィンドウ７０６のガラス材料の化学的に強化された表面７１９Ａを示す。図７Ｂは、透明な照明器用ウィンドウ７０８のガラス材料の化学的に強化された表面７１９Ｂを示す。透明なディスプレイ用ウィンドウの化学的に強化された表面は図７Ｂに示されていない。しかし、図７Ｂはまた、カバーガラス７０４の隣接した領域７１１の化学的に強化された表面７１９Ｃを示す。カバーガラス７０４の代わりにセラミックカバー７０４を用いる実施形態において、セラミックカバー７０４が化学的に強化される場合、そのような化学強化はセラミックカバー７０４の隣接した領域７１１を強化しうる。これらの図において、表面の化学強化はクロスハッチングの描写で示される。
【００９８】
図７Ｃは、筐体及び少なくとも部分的に筐体の内部に配設された電気部品を含む消費者向け電子製品７００の別の実施形態の簡略化された断面図であり、この電気部品は少なくともカメラ７０７と照明器７０９とを含む。カバーガラス７０４（又はセラミックカバー７０４）は筐体に結合してもよい。
【００９９】
カバーガラス７０４（又はセラミックカバー７０４）は、化学強化された表面を有する透明なカメラ用ウィンドウ７０６、化学強化された表面を有する透明な照明器用ウィンドウ７０８、及び化学強化された表面を有する透明なディスプレイ用ウィンドウを含んでもよい。カバーガラス７０４（又はセラミックカバー７０４）は、化学強化された表面を有する隣接した領域７１１を含みうる。カメラ７０７は透明なカメラ用ウィンドウ７０６に隣接して配置してもよい。照明器７０９は透明な照明器用ウィンドウ７０９に隣接して配置してもよい。図７Ｃには示されていないが、ディスプレイは透明なディスプレイ用ウィンドウに隣接して配置してもよい。
【０１００】
照明器７０９からの照明が透明な照明器用ウィンドウ１０８及びその化学強化された表面を通って外へ放射される様子を図７Ｃに示している。この照明Ｌ１は、図７Ｃに概念的な破線の矢印Ｌ１により表されている。照明器７０９からの照明Ｌ１が透明な照明器用ウィンドウ７０８を通って外へ放射されるときに、照明器からのある迷光光線Ｌ２（概念的な破線の矢印Ｌ２により示されるように）は、カバーガラス７０４の暗い又は不透明なガラス材料（又は、セラミックカバー７０４の暗い又は不透明なセラミック材料）にぶつかると、実質的に減衰されうる。したがって、カバーガラス７０４の暗い又は不透明なガラス材料（又は、セラミックカバー１０４の暗い又は不透明なセラミック材料）が概念的な破線の矢印Ｌ２を実質的に遮断する様子が図７Ｃに示されており、これによって、照明器７０９からのベーリンググレアが実質的に低減されることを表している。
【０１０１】
透明なカメラ用ウィンドウ７０６に隣接してカメラ７０７を配置してもよく、カメラ７０７は透明なカメラ用ウィンドウ７０６及びその化学強化された表面を通して意図した光線Ｌ３を受けることができる。透明なカメラ用ウィンドウ７０６を通して意図した光線Ｌ３を受けることによって、カメラ７０７はカバーガラス７０４（又はセラミックカバー７０４）を通して画像又は映像をキャプチャしうる。
【０１０２】
カバーガラス７０４（又はセラミックカバー７０４）の隣接した領域７１１は、カバーガラス７０４（又はセラミックカバー７０４）を通したカメラ７０７におけるベーリンググレアを実質的に低減するのに十分に暗い又は不透明であってもよい。カバーガラス７０４の暗い又は不透明なガラス材料（又はセラミックカバー７０４の暗い又は不透明なセラミック材料）はベーリンググレアを実質的に低減し、散乱した迷光がカメラの像平面に到達するのを実質的に抑制しうる。そうでなければ、そのようなベーリンググレアは、カメラ７０７でキャプチャされた画像又は映像のコントラスト及び解像度を低減する可能性がある。
【０１０３】
照明器７０９はベーリンググレアのありうる発生源の一つとして既に詳細に説明したが、それは電子デバイス７００の内部から発生しうる。しかし、ベーリンググレアのありうる他の発生源が存在し、それは電子デバイス７００の外部から発生しうる。電子デバイスの外部から発生する（概念的な破線の矢印Ｌ４により図７Ｃに示されるように）更なる迷光光線Ｌ４を図７Ｃに示す。そのような、電子デバイスの外部から発生する更なる迷光光線Ｌ４は、カバーガラス７０４の暗い又は不透明なガラス材料（又はセラミックカバー７０４の暗い又は不透明なセラミック材料）にぶつかると、実質的に減衰し及び／又は低減する。したがって、カバーガラス７０４の一部の暗い又は不透明なガラス材料（又はセラミックカバー７０４の暗い又は不透明なセラミック材料）が概念的な破線の矢印Ｌ４を実質的に遮断する様子が図７Ｃに示されており、これによって、電子デバイス７００の外部から発生するベーリンググレアが実質的に低減されることを表している。
【０１０４】
図８は、一実施形態に係る組立工程８００のフローチャートである。組立工程８００は、カバーガラスに一つ以上の開口部を形成する工程８０２により始まる。例えば、第１の開口部は透明なカメラ用ウィンドウを収容するために形成され、第２の開口部は透明な照明器用ウィンドウを収容するために形成され、かつ第３の開口部は透明なディスプレイ用ウィンドウを収容するために形成されてもよい。開口部は、例えば、穴開け、切断、フライス加工、又はその他の機械加工の方法により、多様な手段で形成してもよい。
【０１０５】
工程８００は、カバーガラスにウィンドウを配設する工程８０４により継続してもよい。例えば、透明なカメラ用ウィンドウは第１の開口部内に配設され、カバーガラスを通して延在しうる。透明な照明器用ウィンドウは、第２の開口部内に配設され、同様にカバーガラスを通して延在しうる。透明なディスプレイ用ウィンドウは、第３の開口部内に配設され、同様にカバーガラスを通して延在しうる。
【０１０６】
工程８００は、透明なカメラ用ウィンドウをカバーガラスの第１の開口部内に固定し、透明な照明器用ウィンドウをカバーガラスの第２の開口部内に固定し、透明なディスプレイ用ウィンドウをカバーガラスの第３の開口部内に固定するというように、一つ以上のウィンドウを固定する工程８０６により継続してもよい。密着して嵌合させるため、ウィンドウを加熱して（即ち、ウィンドウは適合させるために）、開口部内の定位置に圧入することができる。
【０１０７】
ウィンドウを固定する工程８０６では、そのようなウィンドウは、ウィンドウのガラス材料が実質的に適合するように十分に加熱されるので、開口部の定位置に圧入することができる。ウィンドウを固定する工程８０６では、そのウィンドウは、ウィンドウのガラス材料をカバーガラスのガラス材料に溶融接合するために十分に加熱してもよい。例えば、摂氏約６００度（℃）から約７００度（℃）の間の好適な温度でそのように加熱してもよい。
【０１０８】
例えば、第１の接合界面は、透明なカメラ用ウィンドウの周辺部のガラス材料とカバーガラスの実質的に類似な又は実質的に異なるガラス材料との溶融接合を含むように形成されてもよい。第２の接合界面は、透明な照明器用ウィンドウの周辺部のガラス材料とカバーガラスの実質的に類似な又は実質的に異なるガラス材料との溶融接合を含むように形成されてもよい。第３の接合界面は、透明なディスプレイ用ウィンドウの周辺部のガラス材料とカバーガラスの実質的に類似な又は実質的に異なるガラス材料との溶融接合を含むように形成されてもよい。
【０１０９】
工程８００は、透明なカメラ用ウィンドウ及び透明な照明器用ウィンドウ及び透明なディスプレイ用ウィンドウ及びカバーガラスの隣接したガラス領域が、カバーガラスの平らな外表面となるように、透明なカメラ用ウィンドウ及び透明な照明器用ウィンドウ及び透明なディスプレイ用ウィンドウをラッピング加工する工程８０８で継続してもよい。
【０１１０】
工程８００は、カバーガラスを強化する工程８１０で継続してもよい。例えば、化学強化は、透明なカメラ用ウィンドウ、透明な照明器用ウィンドウ、及び透明なディスプレイ用ウィンドウ並びにカバーガラスの隣接したガラス領域のガラス材料を強化しうる。
【０１１１】
工程８００は、部品又は電子製品に隣接したウィンドウを配設する工程８１２で継続してもよい。例えば、透明なカメラ用ウィンドウは、電子製品のカメラに隣接して配設されてもよい。透明な照明器用ウィンドウは、電子製品の照明器に隣接して配設されてもよい。透明なディスプレイ用ウィンドウは、電子製品のディスプレイに隣接して配設されてもよい。工程８００は、続いて、カバーガラスを電子製品の筐体に取り付ける工程８１２で継続しうる。一旦カバーガラスが筐体に取り付けられた後は、組立工程８００は終了できる。
【０１１２】
図９は、別の実施形態に係る組立工程９００を説明するフローチャートである。組立工程９００は、セラミックカバーに一つ以上の開口部を形成する工程９０２により始まる。例えば、第１の開口部は透明なカメラ用ウィンドウを収容するために形成され、第２の開口部は透明な照明器用ウィンドウを収容するために形成され、かつ第３の開口部は透明なディスプレイ用ウィンドウを収容するために形成されてもよい。開口部は、例えば、穴開け、切断、フライス加工、又はその他の機械加工の方法により、多様な手段で形成してもよい。
【０１１３】
工程９００は、セラミックカバーにウィンドウを配設する工程９０４により継続できる。例えば、透明なカメラ用ウィンドウは第１の開口部内に配設され、セラミックカバーを通して延在しうる。透明な照明器用ウィンドウは、第２の開口部内に配設され、同様にセラミックカバーを通して延在しうる。透明なディスプレイ用ウィンドウは、第３の開口部内に配設され、同様にセラミックカバーを通して延在しうる。
【０１１４】
工程９００は、透明なカメラ用ウィンドウをセラミックカバーの第１の開口部内に固定し、透明な照明器用ウィンドウをセラミックカバーの第２の開口部内に固定し、透明なディスプレイ用ウィンドウをセラミックカバーの第３の開口部内に固定するというように、一つ以上のウィンドウを固定する工程９０６により継続してもよい。密着して嵌合させるため、ウィンドウを加熱して（即ち、ウィンドウを適合させるために）、開口部内の定位置に圧入することができる。
【０１１５】
ウィンドウを固定する工程９０６では、そのウィンドウは、ウィンドウのガラス材料が実質的に適合するように十分に加熱されるので、開口部の定位置に圧入することができる。ウィンドウを固定する工程９０６では、そのウィンドウは、ウィンドウのガラス材料をセラミックカバーのセラミック材料に溶融接合するために十分に加熱してもよい。例えば、摂氏約６００度（℃）から約７００度（℃）の間の好適な温度でそのように加熱してもよい。
【０１１６】
例えば、第１の接合界面は、透明なカメラ用ウィンドウの周辺部のガラス材料とセラミックカバーのセラミック材料との溶融接合を含むように形成されてもよい。例えば、第２の接合界面は、透明な照明器用ウィンドウの周辺部のガラス材料とセラミックカバーのセラミック材料との溶融接合を含むように形成されてもよい。例えば、第２の接合界面は、透明なディスプレイ用ウィンドウの周辺部のガラスマーターとセラミックカバーのセラミック材料との溶融接合を含むように形成されてもよい。
【０１１７】
工程９００は、透明なカメラ用ウィンドウ、透明な照明器用ウィンドウ、透明なディスプレイ用ウィンドウ、及びセラミックカバーの隣接したセラミック領域が、セラミックカバーの平らな外表面となるように、透明なカメラ用ウィンドウ、透明な照明器用ウィンドウ及び透明なディスプレイ用ウィンドウをラッピング加工する工程９０８で継続してもよい。
【０１１８】
工程９００は強化工程９１０で継続してもよい。例えば、化学強化は、透明なカメラ用ウィンドウ及び透明な照明器用ウィンドウ及び透明なディスプレイ用ウィンドウの各ガラス材料を強化しうる。化学的に強化できるセラミック材料が存在する。セラミックカバーのセラミック材料が化学的に強化できる場合、そのような化学強化はセラミックカバーの隣接したセラミック領域を強化しうる。
【０１１９】
工程９００は、ウィンドウを部品又は電子製品に隣接して配設する工程９１２で継続してもよい。例えば、透明なカメラ用ウィンドウは、電子製品のカメラに隣接して配設されてもよい。透明な照明器用ウィンドウは、電子製品の照明器に隣接して配設されてもよい。透明なディスプレイ用ウィンドウは、電子製品のディスプレイに隣接して配設されてもよい。工程９００は、続いて、セラミックカバーを電子製品の筐体に取り付ける工程９１２で継続してもよい。一旦セラミックカバーが筐体に取り付けられた後は、組立工程９００は終了できる。
【０１２０】
本発明の実施形態は、ポータブルなバッテリ駆動型電子デバイス、より具体的には、ハンドヘルドのバッテリ駆動型電子デバイスによく適している。ポータブルなバッテリ駆動型電子デバイスの例としては、ラップトップ、タブレットコンピュータ、メディアプレーヤ、電話、ＧＰＳユニット、リモコン、携帯情報端末（ＰＤＡ）及びこれらに類するものを含むことができる。
【０１２１】
ここに本明細書の一部を構成するものとして、２０１２年１月１０日出願の「ＩＮＴＥＧＲＡＴＥＤ  ＣＡＭＥＲＡ  ＷＩＮＤＯＷ」と題する米国特許出願第１３／３４７，４３０号の内容を明細書で援用する。
【０１２２】
上述の本発明の種々の態様、特徴、実施形態又は実施は、単独で又は種々の組合せで使用することができる。
【０１２３】
本発明の利点は多岐にわたっている。様々な態様、実施形態、又は実装によって、以下の利点のうちの１つ以上がもたらされうる（ただし、必ずしもその必要はない）。本発明の利点の一つは、カバーガラス（又はセラミックカバー）は強化できるために、カメラ用ウィンドウ領域及び／又は照明器用ウィンドウ領域においても、そうでなければ落下の事象から起こるであろう損傷から保護されるということである。別の利点は、透明なカメラ用ウィンドウと透明な照明用ウィンドウをカバーガラス又はセラミックカバーに統合することによる効率性及び／又は魅力的な外観である。別の利点は、画像又は映像品質が向上するというである。この利点は、ベーリンググレアの実質的な低減によってもたらされうる。
【０１２４】
本発明の多くの特徴及び利点は、記載されている説明から明らかであり、それ故、添付の特許請求の範囲によって、本発明のそのような特徴及び利点を包含することが意図される。更に、当業者は多数の改良及び変更を容易に思い付くであろうから、本発明は、図示及び説明したような厳密な構成及び動作に限定されるべきでない。したがって、全ての好適な改変及び均等物は本発明の範囲内に入るものとして採用できる。
【図１Ａ】
0005931284.tif 000002
【図１Ｂ】
0005931284.tif 000003
【図１Ｃ】
0005931284.tif 000004
【図１Ｄ】
0005931284.tif 000005
【図２Ａ】
0005931284.tif 000006
【図２Ｂ】
0005931284.tif 000007
【図３Ａ】
0005931284.tif 000008
【図３Ｂ】
0005931284.tif 000009
【図４Ａ】
0005931284.tif 000010
【図４Ｂ】
0005931284.tif 000011
【図５Ａ】
0005931284.tif 000012
【図５Ｂ】
0005931284.tif 000013
【図５Ｃ】
0005931284.tif 000014
【図５Ｄ】
0005931284.tif 000015
【図６】
0005931284.tif 000016
【図７Ａ】
0005931284.tif 000017
【図７Ｂ】
0005931284.tif 000018
【図７Ｃ】
0005931284.tif 000019
【図８】
0005931284.tif 000020
【図９】
0005931284.tif 000021